(57)【要約】【課題】  軽量で簡易な構造の折畳み式クリップボードを提供すること。【解決手段】  所定の間隔ｄを空けた平行な２本の折り線１２が形成された筆記用シート１０と、筆記用シートの裏面に固着された、筆記用シート以上の厚みを有する２枚の当て板２０、２２であって、２本の折り線１２を挟む２つの領域で筆記用シートに１枚ずつが固着され、少なくとも２本の折り線１２の間では筆記用シートに固着されず、折り線１２で折ることなく筆記用シートを平らにすると、２枚の当て板の折り線側の辺２１、２３が当接する、２枚の当て板と、筆記用シート上で固定されたクリップ３０とを備え、筆記用シートの折り線で折らないと、２枚の当て板が当接して１枚の当て板のようにして用いることができ、筆記用シートの折り線で筆記用シートが内側になるように折り畳んでコンパクトにできる、折畳み式クリップボード１。【選択図】図１
2020006674.tif 000002
【特許請求の範囲】
【請求項１】
所定の間隔を空けた平行な２本の折り線が形成された筆記用シートと；
前記筆記用シートの裏面に固着された、前記筆記用シート以上の厚みを有する２枚の当て板であって、前記２本の折り線を挟む２つの領域で前記筆記用シートに１枚ずつが固着され、少なくとも２本の折り線の間では前記筆記用シートに固着されず、前記折り線で折ることなく前記筆記用シートを平らにすると、２枚の当て板の前記折り線側の辺が当接する、２枚の当て板と；
前記筆記用シート上で固定されたクリップとを備え；
前記筆記用シートの折り線で折らないと、前記２枚の当て板が当接して１枚の当て板のようにして用いることができ、前記筆記用シートの折り線で前記筆記用シートが内側になるように折り畳んでコンパクトにできる；
折畳み式クリップボード。
【請求項２】
前記当て板は、前記折り線側の辺に、該辺から後退して、前記筆記用シートの折り線で折らないときにも他の当て板に当接しない窪み部を有する；
請求項１に記載の折畳み式クリップボード。
【請求項３】
前記当て板の前記窪み部から前記折り線とは反対側の所定の領域では、前記当て板が前記筆記用シートと固着されず、前記当て板と前記筆記用シートとの間をポケットとして使用できる；
請求項２に記載の折畳み式クリップボード。
【請求項４】
前記クリップが前記筆記用シートに固定された位置と対向する側に、前記筆記用シート上に置かれた紙の端部を収納する収納部が形成された；
請求項１ないし３のいずれか１項に記載の折畳み式クリップボード。
【請求項５】
前記筆記用シートに、前記２本の折り線に平行な２本の第二の折り線がさらに形成され；
前記２枚の当て板のうちの１枚の当て板が、前記第二の折り線を挟んで２枚に分割された；
請求項１ないし４のいずれか１項に記載の折畳み式クリップボード。
【請求項６】
前記窪み部が、前記当て板の折り線側の辺の端部に形成されている；
請求項２または３に記載の折畳み式クリップボード。
【請求項７】
前記２枚の当て板が当接する部分を覆う背カバーをさらに備える；
請求項１ないし６のいずれか１項に記載の折畳み式クリップボード。
【請求項８】
前記背カバーは１枚の前記当て板に固着され、他の１枚の当て板には前記背カバーが挿入される収納部が形成される；
請求項７に記載の折畳み式クリップボード。
【発明の詳細な説明】
【技術分野】
【０００１】
本発明は、ボード上で紙に文字の筆記や図画を描くことができ、かつ、折り畳み可能な折畳み式クリップボードに関するものである。
【背景技術】
【０００２】
紙をボード上のクリップに挟んで、紙にメモ等を筆記することができるクリップボードは、広く用いられている。たとえば、立ったままでメモをとる場合や、屋外での短時間での写生などの場合である。そのような用途では、紙と共にクリップボードを持ち運ぶことが多い。そこで、持ち運びに便利なように、クリップボードを折り畳むという要求がある。
【０００３】
しかし、折り畳めるボードであっても、クリップボードを保持した状態でその上で紙に文字等を筆記できるようにするためには、筆記時にボードに力が加わっても反ったり曲がったりせず、１枚板のボードのように段差がなく平らな状態を維持できることが求められる。さらに、持ち運びのためには、余分な部品を備えたり、過度に重量のある素材を使用することなく、簡易な構造で軽量であり、コンパクトであることも求められる。
【０００４】
折り曲げ部位を境として折り畳みが可能な台板の上半分の裏面側に、下半分側に突出した当て板を固着したクリップボードであって、平らにしたときには、当て板の下半分側に突出した部分で、台板の下半分を支持することにより上半分と下半分の台板を面一状態で維持できるようにする折畳み式クリップボードの考案が開示されている（特許文献１）。この考案では、台板の下半分を、当て板の下半分側に突出した部分のみで支える必要があるため、当て板の突出部分に高い剛性が求められる。加えて、裏面側に当て板が固着されていない下半分の領域においては、台板のみで筆記時の荷重に抗する必要があるため、台板にも高い剛性が求められる。その結果、当て板と台板ともに、比重の大きい堅固な素材や、厚みの大きい部材など、高い剛性の部材を採用する必要があり、実用化にあたっては、重量や厚みが大きくなり携行性の点で問題があった。さらに、当て板の下半分側に突出する部分のみで、台板の下半分を安定して支持するためには、当て板の突出部分に、相当長の長さが必要となり、特にマチを設けるとそれだけ突出部を長くする必要があるので、コンパクトさという点でも問題があった。よって、実用化されていないのが実状である。
【先行技術文献】
【特許文献】
【０００５】
【特許文献１】実用新案登録第３００５９３９号公報
【発明の概要】
【発明が解決しようとする課題】
【０００６】
そこで、本発明は、軽量で簡易な構造でコンパクトな折畳み式クリップボードを提供することを課題とする。
【課題を解決するための手段】
【０００７】
上記課題を解決するために、本発明の第１の態様に係る折畳み式クリップボード１は、たとえば、図１および図２に示すように、所定の間隔ｄを空けた平行な２本の折り線１２が形成された筆記用シート１０と；筆記用シート１０の裏面に固着された、筆記用シート１０以上の厚みを有する２枚の当て板２０、２２であって、２本の折り線１２を挟む２つの領域で筆記用シート１０に１枚ずつが固着され、少なくとも２本の折り線１２の間では筆記用シート１０に固着されず、折り線１２で折ることなく筆記用シート１０を平らにすると、２枚の当て板２０、２２の折り線１２側の辺２１、２３が当接する、２枚の当て板２０、２２と；筆記用シート１０上で固定されたクリップ３０とを備え；筆記用シート１０の折り線１２で折らないと、２枚の当て板２０、２２が当接して１枚の当て板のようにして用いることができ、筆記用シート１０の折り線１２で筆記用シート１０が内側になるように折り畳んでコンパクトにできる。
【０００８】
このように構成すると、２枚の当て板の折り線側の辺が当接することで筆記用シートが当て板の上で平らになり、紙に文字等を筆記することができるとともに折り畳め、かつ、余分な部品を備えることなく、簡易な構造で軽量で、コンパクトであるクリップボードを提供することができる。
【０００９】
本発明の第２の態様に係る折畳み式クリップボード１は、たとえば、図１に示すように、２枚の当て板２０、２２は、折り線側の辺２１、２３に、辺２１、２３から後退して、筆記用シート１０の折り線１２で折らないときにも他の当て板２２、２０に当接しない窪み部２４、２６を有する。このように構成すると、窪み部が形成されているので、折畳み式クリップボードを折り畳んだ状態から折り畳まない平らな状態に広げるときに、当て板の間に指を挟むことを防止でき、安全性が高まる。
【００１０】
本発明の第３の態様に係る折畳み式クリップボード１では、たとえば、図３に示すように、２枚の当て板２０、２２の窪み部２４、２６から折り線１２とは反対側の所定の領域では、当て板２０、２２が筆記用シート１０と固着されず、当て板２０、２２と筆記用シート１０との間をポケット２８として使用できる。このように構成すると、名刺等の小さな紙片をポケットに収納することができ、使い勝手がよくなる。
【００１１】
本発明の第４の態様に係る折畳み式クリップボード１では、たとえば、図１に示すように、クリップ３０が筆記用シート１０に固定された位置と対向する側に、筆記用シート１０上に置かれた紙の端部を収納する収納部４０が形成されている。このように構成すると、クリップボード上で紙の上端をクリップで押え、下端を収納部で押えることができるので、紙がめくれ上がることがなく、かつ、折畳み式クリップボードを折り畳んだときに紙がはみ出ることを防止できる。さらに、折畳み式クリップボードを折り畳んだときに収納部がクリップと重なる位置に設けられると、クリップに当たって紙が傷つくことを防止できる。
【００１２】
本発明の第５の態様に係る折畳み式クリップボード２は、たとえば、図４に示すように、筆記用シート１０に、２本の折り線１２に平行な２本の第二の折り線１４がさらに形成され；２枚の当て板２０、２２のうちの１枚の当て板２２が、第二の折り線１４を挟んで２枚２２−１、２２−２に分割されている。このように構成すると、３つに折り畳める折畳み式クリップボードとなる。
【００１３】
本発明の第６の態様に係る折畳み式クリップボード３では、たとえば、図５に示すように、窪み部６２、６４、６６、６８が、当て板２０、２２の折り線側の辺２１、２３の端部に形成されている。このように構成すると、窪み部が両端に形成されるので、折畳み式クリップボードの端部を持って平らにするときに、２枚の当て板で指を挟むことを防止でき、安全性が高まる。
【００１４】
本発明の第７の態様に係る折畳み式クリップボード３は、たとえば、図５および図６に示すように、２枚の当て板２０、２２が当接する部分を覆う背カバー７０をさらに備える。このように構成すると、折畳み式ボードを平らにするときに、２枚の当て板で指を挟むことを確実に防止でき、安全性が高まる。
【００１５】
本発明の第８の態様に係る折畳み式クリップボード４では、たとえば、図７に示すように、背カバー８０は、１枚の当て板２０に固着され、他の１枚の当て板２２には背カバー８０が挿入される収納部８２が形成される。このように構成すると、折畳み式ボードを平らにするときに、２枚の当て板で指を挟むことを防止でき、安全性が高まる。さらに、背カバーは、固着されない当て板に対してスライドするので、折畳み式ボードを平らにしたときに、背カバーは収納部８２内に深く収納されて平らになり、折畳み式ボードの裏面に出っ張りを生じない。
【発明の効果】
【００１６】
本発明の折畳み式クリップボードによれば、所定の間隔を空けた平行な２本の折り線が形成された筆記用シートと、筆記用シートの裏面に固着された、筆記用シート以上の厚みを有する２枚の当て板であって、２本の折り線を挟む２つの領域で筆記用シートに１枚ずつが固着され、少なくとも２本の折り線の間では筆記用シートに固着されず、折り線で折ることなく筆記用シートを平らにすると、２枚の当て板折り線側の辺が当接する、２枚の当て板と、筆記用シート上で固定されたクリップとを備え、筆記用シートの折り線で折らないと、２枚の当て板が当接して１枚の当て板のようにして用いることができ、筆記用シートの折り線で筆記用シートが内側になるように折り畳んでコンパクトにできるので、軽量で簡易な構造の折畳み式クリップボードを提供することができる。
【図面の簡単な説明】
【００１７】
【図１】図１は、本発明の実施の形態としての折畳み式クリップボードの平らな状態を示す図であり、（ａ）は紙を置く面から見た図で、（ｂ）は裏面から見た図である。
【図２】図２は、図１に示す折畳み式クリップボードの側面図であって、（ａ）は平らな状態を示す図で、（ｂ）は折り畳んだ状態を示す図で、（ｂ）では紙も一緒に示す。
【図３】図３は、図１に示す折畳み式クリップボードにおいて、筆記用シートと当て板を固着する領域とポケットの領域とを示す図である。
【図４】図４は、本発明の実施の形態としての、３つに折り畳める折畳み式クリップボードを示す図であり、（ａ）は紙を置く面から見た図で、（ｂ）は折り畳んだ状態の側面図である。
【図５】図５は、本発明の実施の形態としての、２つの窪み部が両端に形成され、背カバーを備える折畳み式クリップボードを示す図であり、（ａ）は紙を置く面から見た図で、（ｂ）は裏面から見た図である。
【図６】図６は、図５に示す折畳み式クリップボードの折り畳んだ状態を示す斜視図である。
【図７】図７は、１枚の当て板に３辺が固定された背カバーと、他の当て板に背カバーを挿入する収納部が形成された折畳み式クリップボードを説明する図で、（ａ）は、折り畳んだところを示す斜視図、（ｂ）は平らにしたところを裏面から見た平面図である。
【発明を実施するための形態】
【００１８】
以下、図面を参照して、本発明の実施の形態について説明する。なお、各図において、互いに同一または相当する装置には同一符号を付し、重複した説明は省略する。先ず図１を参照して、折畳み式クリップボード１の構成を説明する。折畳み式クリップボード１は、その上で文字を筆記したり図画を描いたりする（単に「文字等を筆記する」ともいう）ための筆記用シート１０と、筆記用シート１０以上の厚みを有し、筆記用シート１０の裏面に固着された当て板２０、２２を備える。ここで、裏面とは、筆記用シート１０の紙を置かれる面、すなわち、文字等を筆記する面（「表面」ともいう）とは反対の面を指す。筆記用シート１０は、その上の紙に文字等を筆記するときに、紙がへこまず、書きやすくするためのシートである。当て板２０、２２は、文字等を筆記するときに筆記用シート１０がたわんだりへこんだりするのを防ぐ台として機能する。
【００１９】
筆記用シート１０には、所定の間隔ｄを隔てて、２本の折り線１２が形成される。ここで、所定の間隔ｄは、後述するように、折畳み式クリップボード１を折り畳んだときにマチとなる長さである。折り線１２は、筆記用シート１０を表面側に折れるように形成されればどのように形成されてもよいが、たとえば、裏面側に切れ目を入れても、薄くしたりすることで柔らかく形成してもよい。ただし、平らにしたときには、表面が平坦になるようにする。２本の折り線１２は、典型的には矩形の筆記用シート１０の長手の方を半分に折る位置に形成されるが、他の位置に形成されてもよい。
【００２０】
当て板２０、２２は、２本の折り線１２を挟むように、２枚に分けられている。当て板２０、２２は、折畳み式クリップボード１を平らにして文字等を筆記するときに、折り線側の辺２１、２３が当接するように分けられている。折り線側の辺２１、２３に、当て板２０、２２が当接しないように後退する窪み部２４、２６が形成されてもよい。窪み部２４、２６が形成されると、折り畳んだ折畳み式クリップボード１を平らにするときに、窪み部２４、２６に指を当てて操作することにより、指を挟むことが防止でき、安全性が高まる。なお、図１では、窪み部２４は、折り線側の辺２１、２３の中央部分に設けられているが、後で詳述するように、折り線側の辺２１、２３の端部に設けてもよく、端部に設けると折畳み式クリップボード１のサイドを手で持って操作するときに、指を挟むことを防止できる。窪み部２４、２６の形状や大きさは特に限定されないが、後述するように、文字等を筆記するときに筆記用シート１０がたわまない大きさとする。
【００２１】
折畳み式クリップボード１は、文字等を筆記するときに上になる方（図１の上方）に、クリップ３０を備える。クリップ３０は、表面、すなわち筆記用シート１０の上で固定される。典型的には、筆記用シート１０および当て板２０とカシメ金具でかしめてクリップ３０を固定するが、他の方法で固定してもよい。折畳み式クリップボード１の筆記用シート１０上の紙をクリップ３０で押える。
【００２２】
折畳み式クリップボード１は、クリップ３０が固定された位置と対向する位置、すなわち、文字等を筆記するときに下になる方（図１の下方）に、収納部４０を備えてもよい。収納部４０は、たとえば、筆記用シート１０の上にビニールシート等を上側が開く袋状に重ねることで形成される。あるいは、袋を筆記用シート１０に貼り付けてもよい。その際、袋の開口部の中央部が凸になるように形成すると、袋をめくって紙を収納部４０に収納し易い。クリップ３０で押えられた紙の下端を収納部４０に収納することにより、紙は両端を折畳み式クリップボード１に押えられて、めくれ上がることが防止され、また後述するように、折り畳んだときにも紙がはみ出ることを防止できる。さらに、折畳み式クリップボード１を折り畳んだときに収納部４０がクリップ３０と重なる位置に設けられると、クリップ３０に当たって紙が傷つくことを防止できる。また、収納部４０に、名刺等の紙片を収納することもできる。なお、折畳み式クリップボード１は、収納部４０を備えなくてもよい。
【００２３】
次に、図２を参照して、折畳み式クリップボード１の使用について説明する。先ず図２（ａ）を参照して、文字等を筆記するときの平らにした場合について説明する。折畳み式クリップボード１では、平らにすると、２枚の当て板２０、２２の折り線側の辺２１、２３が当接する。２枚の当て板２０、２２の辺２１、２３が当接するので、それ以上に反ることがない。すなわち、図２（ａ）で「へ」の字状になることがない。特に、筆記用シート１０の折り線１２と、当て板２０の当接する辺２１、２３の位置がずれていると、互いに支えあって、折畳み式クリップボード１が反ることを防止しやすいので好ましい。当接して反ることがないようにするため、固着されていない部分において、当て板２０、２２は当接したときに筆記用シート１０と一致する長さを有する。すなわち、筆記用シート１０の固着されていない部分の長さと、当て板２０、２２の固着されていない部分の長さが一致することにより、当て板２０、２２の辺２１、２３を当接したときに、筆記用シート１０に生ずる張力と当接する２枚の当て板２０、２２に生ずる圧縮力とが釣り合って、折畳み式クリップボード１の平らな状態を維持する。当て板２０、２２の辺２１、２３を当接したときに、折畳み式クリップボード１あるいは筆記用シート１０が平らになる。
【００２４】
当て板２０、２２は、文字等を筆記するときに筆記用シート１０がたわんだりへこんだりするのを防ぐ台として機能するために、一定以上の厚みを有するのが好ましい。また、当て板２０、２２が一定以上の厚みを有することにより、筆記用シート１０から離れた位置でも当て板２０、２２同士が当接し、折畳み式クリップボード１の平らな状態が安定する。それに対し、筆記用シート１０は、厚くなると折り線１２の部分で盛り上がって文字等を記載しにくくなってしまったり、重量が増加して使いにくくなったり、かさばったりするので、厚くしない方が好ましい。そこで、これらの条件を同時に満たす構成として、当て板２０、２２は、筆記用シート１０以上の厚みを有し、好ましくは、筆記用シート１０より厚い厚みを有する。具体的には、当て板２０、２２の厚みは、折畳み式クリップボード１の大きさや、筆記用シート１０、当て板２０、２２の材質（弾性係数等）に応じて決めることとなる。
【００２５】
当て板２０、２２の材質には、文字等を筆記するときに筆記用シート１０がたわんだりへこんだりするのを防ぐ台として機能、および、２枚の当て板２０、２２が当接したときに折畳み式クリップボード１が反らないようにするために変形しない堅さを有することが要求される。さらに、軽量な材質であることが好ましい。具体的には、たとえば、発泡ポリプロピレン、塩化ビニル、繊維強化プラスチック、ポリエチレン、ポリエチレンテレフタレート、ＡＢＳ樹脂、アクリル樹脂、ポリスチレン、ポリカーボネート、ボール紙、板紙、天然木材、ＭＤＦなどが用いられ、これらを重ね合わせて用いてもよい。
【００２６】
折畳み式クリップボード１を平らにした場合に、それ以上に反ることがないようにするためには、筆記用シート１０が伸びないことも求められる。すなわち、２枚の当て板２０、２２が当接しても、筆記用シート１０が伸びてしまうと、折畳み式クリップボード１は反ってしまう。筆記用シート１０の伸びを小さくするためには、筆記用シート１０が当て板２０、２２に固着されず、平らにしたときに伸びる筆記用シート１０の範囲を狭くするのが好ましい。しかし、少なくとも折り畳んだときにマチになる長さ、すなわち、２本の折り線１２の間は、筆記用シート１０を当て板２０、２２に固着することはできない。よって、２本の折り線１２のすぐ外側で、筆記用シート１０を当て板２０、２２に固着するのが好ましい。固着できない部分があるので、筆記用シート１０が伸びないためには、筆記用シート１０自体の剛性を上げることも求められる。そのためには、筆記用シート１０の厚さを厚くするのも一方法である。しかし、折り畳みにくくなったり、折畳み式クリップボード１としての重量が増えたり、材料費がかさんだりという欠点がある。そこで、筆記用シート１０は薄くする方が好ましい。よって、伸びにくい材質を筆記用シート１０に用いることが好ましい。
【００２７】
さらに、当て板２０、２２に窪み部２４、２６が形成された場合には、その部分の筆記用シート１０の下には当て板２０、２２がなく、すなわち、台がない。しかし、当て板２０、２２が下になくても、文字等を筆記するときに筆記用シート１０はへこんだり穴が開いたりしない。そのために、窪み部２４、２６の大きさ等によっても変わるが、筆記用シート１０は、適切な剛性を有するように形成される。なお、筆記用シート１０の材質は、たとえば、ポリプロピレンシート、塩化ビニル、ポリエチレン、ポリエチレンテレフタレート、ボール紙、板紙などが用いられる。
【００２８】
続いて、図２（ｂ）を参照して、持ち運ぶとき用に折り畳んだ場合について説明する。折畳み式クリップボード１では、表面が内側になるように折り畳む。筆記用シート１０の折り線１２で折ることにより、当て板２０、２２は、２つに別れる。そして、２本の折り線１２の間隔ｄがマチとなる。なお、少なくとも２本の折り線１２の間では、筆記用シート１０と当て板２０、２２とは固着されていないので、その部分がマチとなる。このように折り畳むことにより、筆記用シート１０の上に紙５０を乗せクリップ３０で止めたままで折り畳むことができる。また、２枚の当て板２０、２２が当接する箇所である折り線側の辺２１、２３が、平らにしたときにマチの裏側に位置するので、２つに別れたときの当て板２０、２２の長さが折り畳んだときの長さとなり、折り畳んだときの折畳み式クリップボード１をコンパクトにできる。マチの長さの１／２の位置に折り線側の辺２１、２３が位置すると、より好ましい。さらに、折り畳むと、紙５０が内側になり、折畳み式クリップボード１で保護されると共に、マチがあるので、紙５０に折り目が付かない。さらに、クリップ３０と対向する位置で紙５０は収納部４０に収納されているため、折り畳んでも、紙５０が折畳み式クリップボード１からはみ出ない。さらに、折り畳んだときに、収納部４０がクリップ３０と重なる位置に設けられていると、クリップ３０が紙５０に当たり、傷つけることを防止できる。したがって、紙５０を傷めることなく、持ち運び易い。
【００２９】
次に図３を参照して、筆記用シート１０と当て板２０、２２との固着について説明する。図３では、筆記用シート１０と当て板２０、２２とを固着する領域を斜線で示す。基本的には、２本の折り線１２の外側で筆記用シート１０と当て板２０、２２とを固着する。固着する方法は、接着剤による固定、両面接着シートによる固定、接着領域の周囲を糸で縫うことによる固定、固定金具を用いた固定等の任意の固定方法でよく、さらに、これらの方法を組み合わせて固定してもよい。接着剤による固定では、たとえば図３に示す斜線の領域の全面に接着剤を塗布せず、線状あるいは点状に接着剤を塗布して固着してもよいことは明らかである。
【００３０】
なお、当て板２０、２２の窪み部２４、２６から２本の折り線１２の反対側、すなわち、折り線を挟んだ領域で、筆記用シート１０と当て板２０、２２とを固着せず、ポケット２８としてもよい。ポケット２８には、名刺等の小さな紙片を差し込むことができる。窪み部２４、２６からであるので、筆記用シート１０上で紙片を滑らせることでポケット２８に差し込むことができる。特に、折畳み式クリップボード１を折り畳んで持ち運ぶときに、手で持つ部分に形成されると、ポケット２８内に収納された紙片が落ちにくく、好ましい。ポケット２８を形成する場合でも、たとえば少なくとも２本の折り線１２の両端部では、折り線１２のすぐ外側で筆記用シート１０と当て板２０、２２とを固着して、折畳み式クリップボード１を平らにして文字等を筆記するときに、筆記用シート１０が伸びることにより折畳み式クリップボード１が反ることがないようにする。ポケット２８は、たとえば、ポリプロピレンシート、塩化ビニル、ポリエチレン、ポリエチレンテレフタレート、紙、布、ゴムなどで形成されたシートでよい。
【００３１】
このように構成された折畳み式クリップボード１の実施例としては、Ａ４サイズ縦用として、次のようなものである。
筆記用シート：  高さ３２５ｍｍ×幅２４０ｍｍ×厚さ０．８ｍｍ
材質  ポリプロピレンシート
当て板：        高さ３２５ｍｍ（２枚の合計）×幅２４０ｍｍ×厚さ２ｍｍ
材質  発泡ポリプロピレン
窪み部：        高さ１３ｍｍ（当接したときの全体の高さ）×幅１８４ｍｍ  
折り線の間隔：  １３ｍｍ
他に、Ａ４サイズ横用として、高さ２４０ｍｍ×幅３２５ｍｍとしてもよいし、Ａ３サイズ縦用として、高さ４４５ｍｍ×幅３３０ｍｍとしてもよいし、Ａ３サイズ横用として、高さ３３０ｍｍ×幅４４５ｍｍとしてもよい。よって、折畳み式クリップボード１の実用的なサイズ範囲としては、
筆記用シート（材質をポリプロピレンとして）：  高さ２４０〜４４５ｍｍ×幅２４０〜４４５ｍｍ×厚さ０．８〜１．５ｍｍ
当て板（材質を発泡ポリプロピレンとして）：  高さ２４０〜４４５ｍｍ（２枚の合計）×幅２４０〜４４５ｍｍ×厚さ２．０〜５．０ｍｍ
窪み部：  高さ１０〜２０ｍｍ（当接したときの全体の高さ）×幅１４０〜２３０ｍｍ
折り線の間隔：  １０〜１５ｍｍ
程度となるが、この範囲内に限られることはない。
【００３２】
次に図４を参照して、折畳み式クリップボード２について説明する。折畳み式クリップボード２は、３つに折り畳める点で折畳み式クリップボード１と異なるが、他は同様である。よって、重複する説明は省略し、異なる点についてのみ説明する。折畳み式クリップボード２では、筆記用シート１０に２本の折り線１２と平行な２本の第二の折り線１４が形成される。また、折り線１２の下側の当て板２２（図１参照）は、折り線１４を挟むように２枚の当て板２２−１、２２−２に分割される。なお、折畳み式クリップボード２では、折り線１２は筆記用シート１０の長手の方を３分の１にする位置に形成され、折り線１２と折り線１４とで、筆記用シート１０を３つのほぼ等しい長さに分割する。３つの当て板２０、２２−１、２２−２もほぼ同じ長さ（折畳み式クリップボード２の長手方向）を有する。
【００３３】
３つに折り畳むために、折畳み式クリップボード２では、２本の折り線１２の間隔ｄ１を２本の第二の折り線１４の間隔ｄ２よりも大きくしている。図４（ｂ）に示すように、３つに折り畳んだ際に、外側になる折り畳み部のマチ、すなわち２本折り線１２の間隔ｄ１を大きくすることにより、間に折り畳まれた折畳み式クリップボード２の下端を挟み易くなる。なお、２本の折り線１２の間隔ｄ１と２本の第二の折り線１４の間隔ｄ２は同じであってもよい。
【００３４】
これまでの説明では、折り線１２および折り線１４は２本であるとしたが、２本以上であればよい。折り線１２、１４が３本以上あると、折り畳む際にマチの大きさを変更することができる。
【００３５】
これまでの説明では、折畳み式クリップボード１は２つに折り畳むことができ、折畳み式クリップボード２は３つに折り畳むことができるものとしたが、４つ以上に折り畳むことができるようにしてもよい。すなわち、筆記用シート１０にさらに２本の折り線１２に平行な折り線をさらに形成し、当て板２０、２２、２２−１、２２−２をさらに分割してもよい。折畳み式クリップボード１、２を４つ以上に折り畳むことができると、さらに小さく持ち運ぶことができる。
【００３６】
これまでの説明では、折畳み式クリップボード２では、折り線１２の下側の当て板２２が２つに分割される、すなわち、第二の折り線１４は折り線１２より下側に形成されるものとして説明したが、折り線１２の上側の当て板２０が２つに分割される、すなわち、第二の折り線１４は折り線１２より上側に形成されてもよい。
【００３７】
これまでの説明では、窪み部２４、２６は、当て板２０、２２の双方に形成されるものとして説明したが、いずれか一方に形成されてもよい。いずれか一方の当て板２０、２２に窪み部２４、２６が形成されれば、折り畳んだ折畳み式クリップボード１、２を平らにするときに、指を挟むことが防止でき、安全性が高まる。
【００３８】
これまでの説明では、ポケット２８は、筆記用シート１０と当て板２０、２２との間に２箇所形成されるものとして説明したが、いずれか一方に形成されてもよい。ポケット２８の数、形状は特に限定されない。
【００３９】
折畳み式クリップボード１、２では、クリップ３０に鉛筆などを挟むペンホルダーを設けてもよい。ペンホルダーを設けると、鉛筆などを折畳み式クリップボード１、２と一緒に持ち運べるので利便性が高まる。ペンホルダーは、たとえば、クリップ３０の上端側、折畳み式クリップボード１、２の端部に設ける。ペンホルダーをクリップ３０の上端側に設ければ、クリップ３０で紙を押える際に、邪魔にならない。
【００４０】
次に、図５および図６を参照して、折畳み式クリップボード１の変形例としての折畳み式クリップボード３について説明する。図５は、折畳み式クリップボード３の平らな状態を示す図である。図６は折り畳んだ状態を示す斜視図である。折畳み式クリップボード３では、窪み部６２、６４、６６、６８が、当て板２０、２２の折り線側の辺２１、２３の端部に形成されている点と、２枚の当て板２０、２２が当接する部分を覆う背カバー７０が設けられる点で折畳み式クリップボード１と異なるが、他は同じでよい。
【００４１】
なお、図５に示すように、収納部４０にスリット４２を形成してもよい。スリットがあると、名刺等の紙片をスリットに挟んで保持することができ、利便性が高まる。なおスリット４２は、折畳み式クリップボード１、２の収納部４０に形成してもよい。
【００４２】
折畳み式クリップボード３では、窪み部６２、６４、６６、６８が両端に形成されるので、折畳み式クリップボード３の端部を持って平らにするときに、指を挟むことを防止でき、安全性が高まる。また、折畳み式クリップボード３では、折畳み式クリップボード１に比べ、２枚の当て板２０、２２が当接する辺２１、２３の長さが長くなるので、平らにして文字等を筆記する際に、より確実に「へ」の字状になることがない。さらに、折畳み式クリップボード３では、文字等を筆記するのに使用される頻度の高い中央部分で２枚の当て板２０、２２が当接する。よって、より確実に筆記用シート１０がへこんだり穴が開いたりすることがなくなる。
【００４３】
背カバー７０は、２枚の当て板２０、２２の裏面に固着され、辺２１、２３を覆うシート状の部材である。当て板２０、２２の窪み部６２、６４、６６、６８以外を手で持って、折畳み式クリップボード３を折り畳もうとしたときに、当て板２０、２２で指を挟むことを防止でき、安全性が高まる。さらに、２枚の当て板２０、２２が当接する辺２１、２３が背カバー７０により覆われて保護されるので、損傷により生ずる不具合、たとえば、折畳み式クリップボード３を平らにしようとしても辺２１、２３が損傷して突き出た部分だけが当接して平らにならない、あるいは、辺２１、２３が損傷して当接した際に変形して「へ」の字状になってしまうなどの不具合が防止される。背カバー７０は、２枚の当て板２０、２２が当接する部分を覆うだけの長さがあればよく、折畳み式クリップボード３の幅（図５の折畳み式クリップボード３の短手）より狭くてもよい。また、背カバー７０は、２つ以上に分かれて、それらが２枚の当て板２０、２２が当接する部分を覆うことでもよく、それらの間に隙間があってもよい。背カバー７０には、両端部にひだ状の部分を設けて、平らにして机の上などに置いて使用する際にひだ状の部分が畳まれてガタ付くことがないようにするのが好ましい。あるいは、背カバー７０は、全体にひだを形成された蛇腹状に形成されてもよい。背カバー７０の両端部を、滑らかな形状、たとえば円弧形状に形成して、折畳み式クリップボード３を手で持つときに痛みを感じないようにするのが好ましい。あるいは、両端部に滑らかな部分のない角形に形成されてもよい。
【００４４】
背カバー７０は、たとえば、ポリプロピレンシート、塩化ビニル、ポリエチレン、ポリエチレンテレフタレート、紙、布、ゴムなどで形成された厚さ０．１５〜０．２ｍｍのシートでよい。背カバー７０を折畳み式クリップボード３の背表紙として用いることもできる。さらに、背カバー７０をクリップ付きのペンで挟むことができ、すなわち、ペンホルダーとして用いることもできる。ペンホルダーとして用いる場合には、ペンのクリップが挟む部分に穴を形成することにより、ペンを安定させることができる。さらに、背カバー７０の長さを２枚の当て板２０、２２が当接する部分より長くすることにより、折畳み式クリップボード３の開閉時に当て板２０、２２がペンに当たることを防止することも可能になる。さらに、背カバー７０の長さを当て板２０、２２から突出する長さとすることにより、ペンを背カバー７０の内側に収納できることも可能になる。なお、背カバー７０は、折畳み式クリップボード１あるいは折畳み式クリップボード２に設けられてもよい。
【００４５】
次に、図７を参照して、折畳み式クリップボード３の変形例としての折畳み式クリップボード４について説明する。折畳み式クリップボード４では、１枚の当て板２０に背カバー８０の３辺が固着され、他の当て板２２に背カバー８０用の収納部８２が形成されている点で、折畳み式クリップボード３と異なるが、他は同じでよい。背カバー８０は、当て板２２には固着されず、当て板２２に形成された収納部８２に挿入される。よって、背カバー８０は、辺２１、２３を覆うが、当て板２２に対してスライド可能であり、平らにするときには、収納部８２の奥にまで挿入されて平らになる。よって、平らにした折畳み式クリップボード４の裏面で、背カバー８０の一部が折られるなどして裏面の出っ張りの原因となることがない。すなわち、机の上などに置いて使用する際にガタ付くことがない。このように構成しても、背カバー８０は、当て板２０、２２の当接する辺２１、２３を覆うので、折畳み式クリップボード４を持って平らにするときに、指を挟むことを防止でき、安全が高まる。
【００４６】
背カバー８０は、当て板２０と３辺、すなわち、折り畳み側以外の３辺（図７（ｂ）の上と左右）で固着され、他の１辺、すなわち、折り畳み側の１辺（図７（ｂ）の下）では固着されない。そのために、背カバー８０と当て板２０との間に紙片等を収納するポケットを形成することができる。さらに、背カバー８０の当て板２０上のポケットを形成する部分に、スリット８６を形成してもよい。スリット８６があると、名刺等の紙片をスリット８６に挟んで保持することができ、利便性が高まる。なお、背カバー８０と当て板２０とが固着される辺は、折り畳み側以外の３辺に限られるものではなく、当て板２０の折畳み側と対向する１辺（図７（ｂ）の上）だけで固着されてもよいし、当て板２０の折畳み側の辺に対して垂直方向に伸びる２辺（図７（ｂ）の左右）だけで固着されてもよい。そのとき、背カバー８０と当て板２０との間にポケットを形成していなくてもよい。また、背カバー８０と当て板２０とが固着される辺は、当て板２０の折畳み側と対向する１辺（図７（ｂ）の上）の近くではなく、当て板２０の折り線側の辺２１の近くや、その中間にあってもよい。さらに、辺を固着するのではなく、複数の点で固着してもよい。
【００４７】
収納部８２は、たとえば、ポリプロピレンシート、塩化ビニル、ポリエチレン、ポリエチレンテレフタレート、紙、布、ゴムなどで形成されたシートでよく、背カバー８０と同じ材質であっても、異なる材質であってもよい。収納部８２の幅が広くたわんで背カバー８０が抜け易くなるような場合には、剛性を増すように適宜リブを設けてもよい。また、収納部８２は折り畳んだときの折畳み式クリップボード４の外側に位置するので、メモを収納したりすることにも使用できる。背カバー８０は、複数枚に別れていてもよい。複数枚の背カバー８０を、１つの収納部８２に挿入しても、複数の収納部８２に挿入してもよい。さらに、収納部８２にスリット８４を形成してもよい。スリット８４があると、名刺等の紙片をスリット８４に挟んで保持することができ、利便性が高まる。
【符号の説明】
【００４８】
１、２、３、４  折畳み式クリップボード
１０  筆記用シート
１２  折り線
１４  第二の折り線
２０、２２  当て板
２１、２３  折り線側の辺
２４、２６  窪み部
２８  ポケット
３０  クリップ
４０  収納部
４２  スリット
５０  紙
６２、６４、６６、６８  窪み部
７０、８０  背カバー
８２  （背カバー用）収納部
８４、８６  スリット
ｄ、ｄ１、ｄ２  （折り線の）間隔
【図１】
2020006674.tif 000003
【図２】
2020006674.tif 000004
【図３】
2020006674.tif 000005
【図４】
2020006674.tif 000006
【図５】
2020006674.tif 000007
【図６】
2020006674.tif 000008
【図７】
2020006674.tif 000009